(57)【特許請求の範囲】
【請求項１】
ハウジング内に、熱交換器と、ケーシングに収容されたファンとが鉛直方向に配設され、前記ケーシングには、前記熱交換器に風を吹き出す吹出口が上方に開口し、さらに、前記熱交換器の下方に位置して前記吹出口の縁部に近接してドレンパンが設けられた床置型空気調和装置において、
前記ケーシングの吹出口の縁部には、略水平方向外側に張り出す張り出し部が設けられ、該張り出し部が、前記ドレンパンの縁部を覆っているものであって、
前記ドレンパンは、少なくともケーシング吹出口の幅方向左右に位置して設けられ、
該ケーシングには、幅方向左右両側の吹出口縁部に前記張り出し部が設けられるとともに、
前記ケーシングの吹出口を跨いで前記幅方向左右に位置するドレンパン間に渡された整流板が設けられ、該整流板には、前記張り出し部が嵌る切り欠き部が設けられていることを特徴とする床置型空気調和装置。
【請求項２】
ハウジング内に、熱交換器と、ケーシングに収容されたファンとが鉛直方向に配設され、前記ケーシングには、前記熱交換器に風を吹き出す吹出口が上方に開口し、さらに、前記熱交換器の下方に位置して前記吹出口の縁部に近接してドレンパンが設けられた床置型空気調和装置において、
前記ケーシングの吹出口の縁部には、略水平方向外側に張り出す張り出し部が設けられ、該張り出し部が、前記ドレンパンの縁部を覆っているものであって、
前記ドレンパン縁部には、前記張り出し部が嵌合する凹部が設けられていることを特徴とする床置型空気調和装置。
【請求項３】
請求項２に記載の床置型空気調和装置において、
前記ドレンパンは、少なくともケーシング吹出口の幅方向左右に位置して設けられ、前記ケーシングには、幅方向左右両側の吹出口縁部に前記張り出し部が設けられ、前記ケーシングの吹出口を跨いで前記幅方向左右に位置するドレンパン間に渡された整流板が設けられ、該整流板には、前記張り出し部が嵌る切り欠き部が設けられていることを特徴とする床置型空気調和装置。
【請求項４】
請求項１から３のいずれかに記載の床置型空気調和装置において、前記張り出し部の上面は、外周側に向かって下降する傾斜面であることを特徴とする床置型空気調和装置。
【発明の詳細な説明】
【０００１】
【発明の属する技術分野】
本発明は、床置型空気調和装置に関し、特に室内機の構成に関する。
【０００２】
【従来の技術】
図３は、床置型空気調和装置の室内機１の外観を示す斜視図である。床置型空気調和装置の室内機１は、大きくパネル部（ハウジング）２、熱交部３、および、ファン部４により構成されている。
パネル部２は、主として吸込グリル１３，センターパネル６，吹出グリル１２、サイドパネル７，８、リアパネル９、ベース１０とにより構成されている。
熱交部３はパネル部２内に収容されている。熱交部３は、主として熱交換器１５およびドレンパン１６により構成されている。熱交換器１５は、上縁１５ａが吹出グリル１２の下方に近接位置し、下縁１５ｂが空気調和装置の高さ方向中間部で、かつ奥側に位置している。ドレンパン１６は上面視コ字状であり、リアパネル９及び両サイドパネル７，８に沿ってパネル部２内に配置されており、その形状に沿ってドレン受け用の溝１６ａが形成されている。溝１６ａのリアパネル９に面する一辺１７の内部には、熱交換器１５の下縁１５ｂが位置している。
【０００３】
ファン部４は、パネル部２内の下部に収容されており、ケーシング２０と、ケーシング内部に収容されたシロッコファン２１により構成されている。シロッコファン２１は空気調和装置の左右方向略中央部に位置しており、ケーシング２０は、略円筒形状の本体部２３と、該本体部の上部に設けられ、上方を向けて開口するガイド部２４とを備えている。ガイド部２４は、シロッコファン２１により吹き出される風の方向（シロッコファン２１の接線方向）に沿って流路を形成しているとともに、上方ほど流路断面積が大きくなってドレンパン１６のコ字状形状にその吹出口２４ａを略一致させて開口している。ケーシング２０の本体部２３は略円筒形状であって、その開口部を前後方向に向けて配設されている。前面側の開口部はパネル部２に設けられた吸込グリル１３に対向しているが、背面側はリアパネル９により閉塞されている。
【０００４】
このように構成された床置型空気調和装置では、以下のように冷房運転が行われる。まず、不図示の室外機から低温低圧の二相冷媒を熱交部の熱交換器１５に供給する。シロッコファン２１を回転させると、吸込グリル１３から室内気が取り込まれ、ファン２１の回転により上方に吹き出される。シロッコファン２１から吹き出された空気は、熱交換器１５を上方に吹き抜ける過程で熱交換機１５内の冷媒によって冷却され、吹出口から室内に吹き出される。冷媒は低温低圧のガス冷媒とされて再び室外機に送られ、圧縮→熱交換→絞り行程の後再び低温低圧の二相冷媒とされて熱交換器１５に送られる。
暖房運転の場合には上記と逆に冷媒が流れ、シロッコファン２１によって吸込グリル１３から取り込まれた空気は、熱交換器１５を上方に吹き抜ける過程で熱交換機１５内の冷媒によって加熱され、吹出グリル１２から室内に吹き出される。
【０００５】
【発明が解決しようとする課題】
さて、このような従来の床置型空気調和装置の縦断面図を図４に示した。図からわかるように、ケーシング２０の吹出口２４ａ縁部と、ドレンパン１６の内周縁とが接触状態となっている。吹出口２４ａ縁部とドレンパン１６の内周縁との間には防水用のインシュレーション２９が設けられていることにより水漏れが防止されている。
また、符号３０はケーシング２０の本体部２３とガイド部２４との間に位置して設けられたコントローラーである。コントローラー３０は、ユーザによる設定が入力されると共に、シロッコファン２１等を制御する電子回路である。
また、符号３１は整流板であり、ケーシング２０から熱交換器１５側に吹き出す風の流れを整えるものである。この整流板３１の下縁３１ａは平坦であり、ドレンパン１６の幅方向両側部一側から他側に渡って設けられており、その下縁３１ａと、ケーシング２０の上縁２０ａ及びドレンパン１６の上面とが一致している。
【０００６】
ここで、上記従来の床置型空気調和装置においては、ドレンパン１６の内周縁とケーシング２０の吹出口２４ａ縁部の接触部分が上方を向いており、また、接触部が線接触または平面的に接触しているため、例えば、搬送時において積み重ねるときに衝撃や荷重によりずれが生じやすい。このため、ずれた状態のままで空気調和装置を稼働させると、インシュレーション２９では防水が不十分となり、熱交換器１５表面で凝縮した水が滴下した場合に接触部から浸入し、ケーシング２０外側とパネル部２との間に水漏れが発生してしまうという問題があった。
【０００７】
本発明は上記事情に鑑みてなされたものであり、水漏れを防止することができる床置型空気調和装置を提供することを目的とする。
【０００８】
【課題を解決するための手段】
請求項１に記載の発明は、ハウジング内に、熱交換器と、ケーシングに収容されたファンとが鉛直方向に配設され、前記ケーシングには、前記熱交換器に風を吹き出す吹出口が上方に開口し、さらに、前記熱交換器の下方に位置して前記吹出口の縁部に近接してドレンパンが設けられた床置型空気調和装置において、前記ケーシングの吹出口の縁部には、略水平方向外側に張り出す張り出し部が設けられ、該張り出し部が、前記ドレンパンの縁部を覆っているものであって、前記ドレンパンは、少なくともケーシング吹出口の幅方向左右に位置して設けられ、該ケーシングには、幅方向左右両側の吹出口縁部に前記張り出し部が設けられるとともに、前記ケーシングの吹出口を跨いで前記幅方向左右に位置するドレンパン間に渡された整流板が設けられ、該整流板には、前記張り出し部が嵌る切り欠き部が設けられていることを特徴とする。
【０００９】
この発明においては、張り出し部がドレンパンの縁部を覆っているから、ドレンパン縁部上面と張り出し部とを立体的に接触させることができる。また、ケーシングとドレンパンの接触部が上方に露出しない。
また、整流板によって、ケーシングの張り出し部がドレンパンから浮き上がってしまうことが防止される。これによりケーシングとドレンパンとのずれが防止される。また、幅方向のずれも整流板の切り欠き部により規制される。
【００１０】
請求項２に記載の発明は、ハウジング内に、熱交換器と、ケーシングに収容されたファンとが鉛直方向に配設され、前記ケーシングには、前記熱交換器に風を吹き出す吹出口が上方に開口し、さらに、前記熱交換器の下方に位置して前記吹出口の縁部に近接してドレンパンが設けられた床置型空気調和装置において、前記ケーシングの吹出口の縁部には、略水平方向外側に張り出す張り出し部が設けられ、該張り出し部が、前記ドレンパンの縁部を覆っているものであって、前記ドレンパン縁部には、前記張り出し部が嵌合する凹部が設けられていることを特徴とする。
【００１１】
この発明においては、張り出し部がドレンパンの縁部を覆っているから、ドレンパン縁部上面と張り出し部とを立体的に接触させることができる。また、ケーシングとドレンパンの接触部が上方に露出しない。
また、ドレンパン縁部の凹部に張り出し部が嵌合することにより、ケーシングの移動が規制される。
【００１２】
請求項３に記載の発明は、請求項２に記載の床置型空気調和装置において、前記ドレンパンは、少なくともケーシング吹出口の幅方向左右に位置して設けられ、前記ケーシングには、幅方向左右両側の吹出口縁部に前記張り出し部が設けられ、前記ケーシングの吹出口を跨いで前記幅方向左右に位置するドレンパン間に渡された整流板が設けられ、該整流板には、前記張り出し部が嵌る切り欠き部が設けられていることを特徴とする。
【００１３】
この発明では、整流板によって、ケーシングの張り出し部がドレンパンから浮き上がってしまうことが防止される。これによりケーシングとドレンパンとのずれが防止される。また、幅方向のずれも整流板の切り欠き部により規制される。
【００１４】
請求項４に記載の発明は、請求項１から３のいずれかに記載の床置型空気調和装置において、前記張り出し部の上面は、外周側に向かって下降する傾斜面であることを特徴とする。
【００１５】
この発明においては、張り出し部上に落下した熱交換器の凝縮水が、傾斜面に沿って外周側に下降し、ドレンパン内に落下する。
【００１６】
【発明の実施の形態】
次に、本発明の実施形態について、図面を参照して説明する。なお、従来と同一の構成については同一の符号を用いるとともにその説明を省略する。
床置型空気調和装置の縦断面図を図１に示した。図からわかるように、ケーシング２０の吹出口２４ａ縁部と、ドレンパン１６の内周縁とが接触状態となっている。吹出口２４ａ縁部の幅方向左右の縁部３５，３６には、略水平方向外側に張り出す張り出し部３７，３８が設けられ、該張り出し部３７，３８が、ドレンパン１６のケーシング側縁部４０，４１上方を覆っている。張り出し部３７，３８の外端は、ドレンパン１６に設けられた溝１６ａの上方に位置している。この張り出し部３７，３８の上面３７ａ、３８ａは、外周側に向かって下降する傾斜面とされている。
図２に示すように、ドレンパン１６の縁部４０，４１には、張り出し部３７，３８が嵌合する凹部４０ａ、４１ａが形成されている。この凹部４０ａ、４１ａは、張り出し部３７，３８が嵌合した状態で、張り出し部３７，３８の空調装置奥行き方向への移動を規制するようになっている。
【００１７】
吹出口２４ａ縁部とドレンパン１６の内周縁との間には樹脂製のインシュレーション４５が設けられていることにより水漏れが防止されている。
また、符号４９は整流板であり、左右両端をドレンパン１６に固定されている。この整流板４９は、ケーシング２０から熱交換器１５側に吹き出す風の流れを整えるものであり、ドレンパン１６の幅方向左右一側から他側に渡って、ケーシング２０の吹出口２４ａを跨いで設けられている。整流板４９の下辺には、張り出し部に対応して切り欠き部５０、５１が形成されており、この切り欠き部５０，５１に張り出し部３７，３８が嵌っているとともに整流板４９により張り出し部３７，３８がドレンパン１６の縁部４０，４１に押さえられている。
【００１８】
このように構成された本例の床置型空気調和装置では、熱交換器１５で凝縮した水がドレンパン１６とケーシング２０との接触部に滴下しても、水は張り出し部３７，３８の傾斜面３７ａ、３８ａ上を流れてドレンパン１６の溝１６ａに落下する。このため、ドレンパン１６とケーシング２０との接触部からの水漏れを防止することができる。
また、張り出し部３７，３８の下面とドレンパン１６の縁部上面とが立体的に接触しているため、多少のずれが生じても隙間とはならないために高い水漏れ防止効果を得ることができる。
さらにまた、整流板４９によってケーシング２０の張り出し部３７，３８がドレンパン１６の縁に押さえられているため、ケーシング２０が鉛直方向および幅方向にずれにくい。また、ドレンパン１６の凹部４０ａ、４１ａに張り出し部３７，３８が嵌合していることにより、ケーシング２０の奥行き方向の移動が規制されている。したがって、搬送時に衝撃を与えたり横積みによる荷重を与えたりしても、ケーシング２０がずれにくく、これによっても、より高い水漏れ防止効果を得ることができる。
【００１９】
【発明の効果】
以上説明したように、本発明によれば以下の効果を得ることができる。請求項１に記載の発明によれば、ケーシングの吹出口縁部には、外側に張り出す張り出し部が設けられているから、ドレンパン縁部上面と張り出し部とを立体的に接触させることができる。したがって、ケーシングとドレンパンとが多少ずれても隙間が生じない。また、ケーシングとドレンパンの境界が上方に露出しない。これらにより、本発明においては水漏れを防止することができる。
また、前記ドレンパンは、ケーシングを跨いで前記幅方向左右のドレンパンに渡された整流板が設けられ、該整流板には、前記張り出し部が嵌る切り欠き部が設けられている。したがって、整流板によって、ケーシングの張り出し部がドレンパンから浮き上がってしまうことが防止される。これによりケーシングとドレンパンとのずれが防止され、水漏れを防止することができる。
【００２０】
請求項２に記載の発明によれば、ケーシングの吹出口縁部には、外側に張り出す張り出し部が設けられているから、ドレンパン縁部上面と張り出し部とを立体的に接触させることができる。したがって、ケーシングとドレンパンとが多少ずれても隙間が生じない。また、ケーシングとドレンパンの境界が上方に露出しない。これらにより、本発明においては水漏れを防止することができる。
また、ドレンパンの凹部と張り出し部とが嵌合しているため、ケーシングとドレンパンとのずれが防止され、水漏れを防止することができる。
【００２１】
請求項３に記載の発明によれば、前記ドレンパンは、ケーシングを跨いで前記幅方向左右のドレンパンに渡された整流板が設けられ、該整流板には、前記張り出し部が嵌る切り欠き部が設けられている。したがって、整流板によって、ケーシングの張り出し部がドレンパンから浮き上がってしまうことが防止される。これによりケーシングとドレンパンとのずれが防止され、水漏れを防止することができる。
【００２２】
請求項４に記載の発明によれば、張り出し部は、外周側に向かって下降する傾斜面が形成されているから、張り出し部上に落下した熱交換器の凝縮水が、傾斜面に沿って外周側に下降し、ドレンパンに落下する。このため、高い水漏れ防止効果を得ることができる。
【図面の簡単な説明】
【図１】本発明の一実施形態として示した床置型空気調和装置の部分断面図である。
【図２】同床置型空気調和装置において、ドレンパンとケーシングとの取付を示す斜視図である。
【図３】従来の床置型空気調和装置の全体構成を示す斜視図である。
【図４】従来の床置型空気調和装置の部分断面図である。
【符号の説明】
２  パネル部（ハウジング）
１６  ドレンパン
２０  ケーシング
２１  シロッコファン（ファン）
２４ａ  吹出口
３７，３８  張り出し部
４０ａ、４１ａ  凹部
４９  整流板
５０，５１  切り欠き部
【図１】
0003576499.tif 000002
【図２】
0003576499.tif 000003
【図３】
0003576499.tif 000004
【図４】
0003576499.tif 000005